(57)【特許請求の範囲】
【請求項１】
台間機ホルダと、この台間機ホルダに前方から着脱可能に装着された台間機本体とを備える遊技台用台間機における前記台間機本体のケース、または前記台間機ホルダの交換部品として、表示器の取付部を備えたものを用意し、
遊技台用台間機における前記台間機本体のケース、または前記台間機ホルダを、前記取付部を備えた交換部品と交換し、
前記取付部に表示器を取り付けることを特徴とする遊技台用台間機の表示器取付方法。
【請求項２】
請求項１において、
前記取付部は、前記台間機本体のケースの前縁部分から前方に突出している取付板、または、前記台間機ホルダの前縁部分から前方に突出している取付板であることを特徴とする遊技台用台間機の表示器取付方法。
【請求項３】
請求項１または２において、
前記遊技台用台間機に取り付けた前記表示器から引き出されているフレキシブルフラットケーブルを、当該遊技台用台間機と隣接の遊技台の間を通して、それらの背面側に引き出すことを特徴とする遊技台用台間機に対する表示器取付方法。
【請求項４】
請求項１ないし３のうちのいずれかの項において、
前記表示器は液晶表示器であることを特徴とする遊技台用台間機の表示器取付方法。
【発明の詳細な説明】
【技術分野】
【０００１】
本発明は、隣接配置されている遊技台で用いる遊技媒体の貸し出しを行う遊技台用台間機に関し、特に、既設の遊技台用台間機に液晶表示器などの外付け用の表示器を後付けするのに適した表示器取付方法に関するものである。
【背景技術】
【０００２】
遊技台用台間機として、その前面に、隣接する遊技台の出玉履歴などの台情報、テレビ番組などを見ることができるように、液晶表示器が外付けされたものが用いられるようになってきている。既設の遊技台用台間機にも、このような液晶表示器を後付けできれば便利である。
【０００３】
特許文献１には、既設の遊技台用台間機と遊技台の微小隙間に着目し、遊技台用テレビ体にプレート状の取付ブラケットを取り付け、この取付ブラケットを遊技台用台間機と遊技台の微小隙間に差し込み、固定することが提案されている。
【特許文献１】実用新案登録第３１０６５９７号公報
【発明の開示】
【発明が解決しようとする課題】
【０００４】
本発明の課題は、遊技台用台間機と遊技台の隙間を利用することなく、既設の遊技台用台間機に対して直接に表示器を取り付けることのできる遊技台用台間機の表示器取付方法を提案することにある。
【課題を解決するための手段】
【０００５】
上記の課題を解決するために、本発明の遊技台用台間機の表示器取付方法は、台間機ホルダと、この台間機ホルダに前方から着脱可能に装着された台間機本体とを備える遊技台用台間機における前記台間機本体のケース、または前記台間機ホルダの交換部品として、表示器の取付部を備えたものを用意し、遊技台用台間機における前記台間機本体のケース、または前記台間機ホルダを、前記取付部を備えた交換部品と交換し、前記取付部に表示器を取り付けることを特徴としている。
【０００６】
ここで、前記取付部は、前記台間機本体のケースの前縁部分から前方に突出している取付板、または、前記台間機ホルダの前縁部分から前方に突出している取付板とすることができる。
【０００７】
また、前記遊技台用台間機に取り付けた前記表示器から引き出されているフレキシブルフラットケーブルを、当該遊技台用台間機と隣接の遊技台の間を通して、それらの背面側に引き出すことができる。
【０００８】
また、前記表示器としては液晶表示器を用いることができる。
【発明の効果】
【０００９】
本発明では、遊技台用台間機の部品（台間機本体のケース、または台間機ホルダ）の交換部品として、表示器の取付部を備えたものを用意してある。したがって、表示器の設置が希望される場合には、部品を交換することにより簡単に対応できる。特に、本発明の方法は、既設の遊技台用台間機に表示器を後付けする場合に有効である。また、取付部の高さ位置が異なる交換部品を用意しておけば、希望の高さ位置に表示器を後付けすることもできるので便利である。
【発明を実施するための最良の形態】
【００１０】
以下に、図面を参照して本発明の実施の形態を説明する。
【００１１】
図１（ａ）および（ｂ）は、本発明の方法を適用可能な遊技台用台間機を示す斜視図および側面図である。遊技台用台間機１は、パチンコ台などの遊技台（図示せず）に隣接配置されており、台間機本体２と、台間機ホルダ４とを備えており、台間機本体２が前方から着脱可能な状態で台間機ホルダ４に装着されている。
【００１２】
台間機本体２は、シャーシ２１と蓋板２２からなる縦長の扁平な直方体形状のケースを備えている。シャーシ２１は、側板部分２１ａ、前板部分２１ｂ、背面板部分２１ｃおよび、上下の端板部分２１ｄ、２１ｅを備えており、このシャーシ２１の開放側の側面に蓋板２２が取り付けられている。シャーシ２１の前板部分２１ｂの前面にはプラスチック製の前面パネル２３が取り付けられている。
【００１３】
前面パネル２３は上側前面パネル２４と下側前面パネル２５からなり、上側前面パネル２４には、状態表示ランプ２６、紙幣挿入口２７および操作面２８が配置されており、下側前面パネル２５には、カード挿入口２９が形成されている。シャーシ２１の内部には、例えば、その上側から、紙幣識別ユニット３１、制御ユニット３２、カードリーダライタ３３および電源ユニット３４が、この順序で取り付けられている。
【００１４】
台間機ホルダ４は、縦枠４１と、その上下の端から前方に延びているガイド枠４２、４３とを備えている。縦枠４１は、背面板部分４１ａと左右の側板部分４１ｂ、４１ｃを備えたコの字状断面をしており、上下のガイド枠４２、４３もそれぞれ下方および上方に開いたコの字状断面をしている。台間機本体２は、上下のガイド枠４２、４３の間を、その背面側の部分が縦枠４１に嵌り込む位置まで差し込まれて、不図示のロック機構によって台間機ホルダ４の側にロックされている。
【００１５】
本例の遊技台用台間機１においては、その交換部品として、図２ないし４に示すものが用意されている。図２（ａ）に示す交換部品は、前面パネル２３の下側前面パネル２５の交換用の下側前面パネル２５Ａである。この下側前面パネル２５Ａは、標準品である下側前面パネル２５と同一のものであるが、その前面上側部分に液晶表示器５が左右に首振り可能な状態で取り付けられている。
【００１６】
図３（ａ）に示す交換部品は、台間機本体２の側面に取り付けられている蓋板２２の交換用の蓋板２２Ａである。この交換用の蓋板２２Ａは、標準品である蓋板２２と同一形状であるが、その前縁部分の上下方向の中程の部位から一定幅で前方に突出した取付部２２ａが形成されている。この取付部２２ａの先端部分には上下一対のねじ穴２２ｂが形成されている。図３（ｂ）に示すように、蓋板２２Ａを取り付けた状態においては、この取付部２２ａが、遊技台用台間機１の前面パネル２３の側方から前方に突出した状態になり、この取付部２２ａに後付け用の液晶表示器５を取り付け可能である。液晶表示器５の側面には、取付部２２ａにねじ止め可能なブラケット５ａが取り付けられており、ここには上下一対のねじ穴５ｂが形成されている。液晶表示器５は、このブラケット５ａの根元側の部位を中心として左右に首振り可能となっている。
【００１７】
図４（ａ）に示す交換部品は、台間機ホルダ４の交換用の台間機ホルダ４Ａである。この交換用の台間機ホルダ４Ａにおける縦枠４１の側板部分４１ｃの前縁部分には、その上下方向の中程の部位から一定幅で前方に延びた取付部４１ｄが形成されている。この取付部４１ｄの前端部分にはねじ穴４１ｅが形成されている。外付け用の液晶表示器５は、図３に示す場合と同一であり、その側面にブラケット５ａが形成されている。図４（ｂ）に示すように、台間機ホルダ４Ａに台間機本体２を装着した状態では、その前面パネル２３の側方から前方に向けて取付部４１ｄの前端部分が突出した状態になり、ここに、液晶表示器５を取り付け可能である。
【００１８】
このように、本例では、交換部品として、液晶表示器付きの下側前面パネル２５Ａと、液晶表示器５の取付部が形成されている蓋板２２Ａおよび台間機ホルダ４Ａとが用意されている。したがって、液晶表示器５を遊技台用台間機１に取り付ける場合には、標準品である下側前面パネル２５を液晶表示器付き下側前面パネル２５Ａと交換すればよい。この代わりに、蓋板２２を蓋板２２Ａに交換し、当該蓋板２２Ａの取付部２２ａに液晶表示器５をねじ止めにより取り付ければよい。あるいは、台間機ホルダ４を台間機ホルダ４Ａに交換し、当該台間機ホルダ４Ａの取付部４ｄの前端部分に液晶表示器５を取り付ければよい。
【００１９】
ここで、これらの交換部品２５Ａ、２２Ａ、４Ａを全て用意しておく必要はなく、これらのうちの一つを用意しておいてもよい。
【００２０】
また、液晶表示器５の取付部を備えた交換部品を複数用意しておき、それらの取付位置を異なるように設定しておくこともできる。例えば、交換部品２５Ａ、２２Ａ、４Ａにおける取付部の高さ位置を異なるように設定しておく。あるいは、各交換部品において、異なる高さに取付部を備えたものを用意しておく。このようにすれば、液晶表示器５の取付希望高さに応じて、対応する交換部品を用いれば、希望する高さ位置に液晶表示器５を取り付けることができるという利点がある。
【００２１】
勿論、交換部品は、本例の下側前面パネル２５Ａ、蓋板２２Ａ、台間機ホルダ４Ａに限定されるものではなく、これら以外の部品の交換部品として、液晶表示器５の取付部を備えたものを用意しておいてもよい。
【００２２】
さらには、本例は、既設の遊技台用台間機１に外付け用の液晶表示器５を後付けする場合の例であるが、新設の場合においては、液晶表示器５が不要な場合には標準品である下側前面パネル２５、蓋板２２、台間機ホルダ４を用いればよく、液晶表示器５を取り付ける場合には、下側前面パネル２５Ａ、蓋板２２Ａ、台間機ホルダ４Ａを用いればよい。
【００２３】
なお、外付け用の表示器としては、液晶表示器以外の表示器であってもよいことは勿論である。
【００２４】
次に、遊技台用台間機１に後付けした液晶表示器５に対する配線の引き回しは、当該遊技台用台間機１と、隣接している遊技台との隙間を利用して行うことができる。図５に示すように、液晶表示器５の配線用として、フィルム状のフレキシブルフラットケーブル７を用いる。遊技台用台間機１は遊技台８（１）に隣接配置されており、他方の側の遊技台８（２）との間には所定の隙間があり、この隙間が化粧板９によって塞がれた状態となっている。例えば、液晶表示器５から引き出される当該フレキシブルフラットケーブル７を、遊技台用台間機１と化粧板９の間から、当該遊技台用台間機１と遊技台８（２）の間を通して、これらの背面側に引き出す。このようにすれば、配線引き回しのためのスペースを別途確保する必要がないので便利である。
【００２５】
一方、図６は参考例の液晶表示器の後付け方法を示す説明図である。遊技台用台間機１Ａの基本構成は先に述べた例の場合と同一であり、対応する部位には同一の符号を付してある。本例では、前面パネル２３Ａに上下一対の差込穴１１ａ、１１ｂが形成されており、これらの差込穴１１ａ、１１ｂが目隠し用キャップ１２ａ、１２ｂで覆われている。また、これらの差込穴１１ａ、１１ｂに対応するシャーシ２１Ａの前板部分２１ｂにも上下一対の差込穴（図示せず）が形成されている。さらには、シャーシ２１の側板部分２１ａには上下一対のねじ穴１４ａ、１４ｂが形成されている。
【００２６】
これに対して、後付け用の液晶表示器５の側面にはブラケット１５が取り付けられており、このブラケット１５には、上下一対の差込板１６ａ、１６ｂが形成され、これらの差込板１６ａ、１６ｂの先端部にはねじ穴１７ａ、１７ｂが形成されている。
【００２７】
液晶表示器５を後付けする場合には、目隠し用キャップ１２ａ、１２ｂを取り外し、差込穴１１ａおよび差込穴１１ｂを通して、液晶表示器５のブラケット１５の差込板１６ａ、１６ｂを差し込む。次に、シャーシ側板部分２１ａの外側から、ねじ穴１４ａ、１４ｂを通して固定ねじ１８ａ、１８ｂを差込板１６ａ、１６ｂの先端部のねじ穴１７ａ、１７ｂにねじ込む。この結果、液晶表示器５が遊技台用台間機１Ａに取り付けられた状態になる。
【００２８】
このように、標準品としての前面パネル２３Ａおよびシャーシ２１Ａに液晶表示器５の取付部を予め形成しておけば、必要に応じて、液晶表示器５を簡単に後付けすることができる。なお、液晶表示器５の取付部は、前面パネル、シャーシ以外の部位に形成しておいてもよいことは勿論である。また、表示器としては、液晶表示器以外の表示器であってもよいことは勿論である。
【図面の簡単な説明】
【００２９】
【図１】本発明を適用可能な遊技台用台間機の一例を示す斜視図である。
【図２】前面パネルに取付部を形成した例を示す説明図である。
【図３】台間機本体に取付部を形成した例を示す説明図である。
【図４】台間機ホルダに取付部を形成した例を示す説明図である。
【図５】後付けされた液晶表示器からの配線の引き回し方法を示す説明図である。
【図６】参考例の液晶表示器の後付け方法を示す説明図である。
【符号の説明】
【００３０】
１  遊技台用台間機
２  台間機本体
２１、２１Ａ  シャーシ
２２、２２Ａ  蓋板
２２ａ  取付部
２３、２３Ａ  前面パネル
２４  上側前面パネル
２５、２５Ａ  下側前面パネル
４１  縦枠
４１ｂ、４１ｃ  側板部分
４１ｄ  取付部
４１ｅ  ねじ穴
５  液晶表示器
５ａ  ブラケット
５ｂ  ねじ穴
７  フレキシブルフラットケーブル
８(１)、８(２)  遊技台
１１ａ、１１ｂ  ねじ穴
１２ａ、１２ｂ  目隠し用キャップ
１４ａ、１４ｂ  ねじ穴
１５ ブラケット
１６ａ、１６ｂ  差込板
１７ａ、１７ｂ  ねじ穴
１８ａ、１８ｂ  ねじ
【図１】
0004723339.tif 000002
【図２】
0004723339.tif 000003
【図３】
0004723339.tif 000004
【図４】
0004723339.tif 000005
【図５】
0004723339.tif 000006
【図６】
0004723339.tif 000007